【事件の表示】
　特許第２９５２４８３号「放射線画像情報読取表示装置」の特許に対する特許異議の申立てについて、次のとおり決定する。
【結　論】
　訂正を認める。
　特許第２９５２４８３号の請求項１に係る特許を維持する。
【理　由】
（１）手続きの経緯
　本件特許第２９５２４８３号発明は、昭和６３年１月２９日に特許出願され、平成１１年７月１６日にその発明の特許がなされ、その後、金子　和弘より特許異議の申立てがなされ、取消理由通知がなされ、その指定期間内である平成１２年８月８日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置。」
（ｉｉ）発明の詳細な説明の訂正
ア.明細書第１２頁第１０〜第１３頁第８行の「−課題を解決するための手段−・・・−実施例−」を「−課題を解決するための手段−
上記目的を達成するため、本発明は、放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置を提供するものである。
−実施例−」と訂正する。
イ.明細書第３４頁第１０〜第３５頁第３行の「−発明の効果−・・・る。」を「−発明の効果−
以上のとおり、本発明は、診断性の良い画像データへの変更を容易にする効果がある。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特許法等の一部を改正する法律（平成６年法律第１１６号）附則第６条第１項の規定によりなお従前
の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人金子　和弘は、証拠として甲第１号証（特開昭６２−１１７０７９号公報）を提出し、訂正前の請求項１に係る発明は、特許法第２９条第１項第３号の規定に違反してなされたものであるから、特許を取り消すべき旨主張し、また、証拠として甲第２号証（特開昭６２−２００８７５号公報）をさらに提出し、訂正前の請求項１に係る発明は、甲第１、２号証により特許法第２９条第２項の規定に違反してなされたものであるから、特許を取り消すべき旨主張し、さらに、証拠として甲第３号証（特開昭６３−２９８２７９号公報）を提出し、訂正前の請求項１に係る発明は、特許法第２９条の２の規定に違反してなされたものであるから、特許を取り消すべき旨主張し、最後に、記載不備があるから、特許法第３６条第４〜６項の規定により特許を取り消すべき旨主張している。
イ.判断
［引用刊行物に記載された発明］
訂正前明細書の請求項１に対して、当審が通知した取消理由で引用した甲第１号証（特開昭６２−１１７０７９号公報）には、「階調性を持つ画像を走査して時系列のデジタル値に変換する画像入力手段、」（特許請求の範囲第１〜２行）、「本発明の目的は、Ｘ線フィルム画像が本来持つているアナログ画像の良さを保ちながら、Ｘ線像をデジタル化するさいに情報量をむやみに大きくすることなく、かつ、デジタル画像処理のメリットを最大限に生かすことにより、画像診断性の向上した画像処理装置を提供することにある。」（第２頁左上欄第１５〜２０行）、「画像処理装置１は、未露光Ｘ線フィルム３に、通常のＸ線装置２で発生し患者を透過してきたＸ線を照射露光し、現像処理の済んだＸ線フィルム４（以後、Ｘ線フィルムと呼ぶ）をディジタイズするフィルムスキャナ５、フィルムスキャナ５でディジタイズされたデータを加工したり、表示したり、ネットワーク９を通じて送信したりする傾向を持つコンソール６，コンソール６のディジタル画像データをハードコピーするためのレーザフィルムプリンタ７、よりなる。レーザフィルムプリンタ７で露光されたプリンタ用フィルム８は、現像処理されて、保管や診断に、または、他部門に送って使用される。画像診断装置１３は、ＣＴ装置であったり、超音波診断装置であったり、もちろん、本発明の画像処理装置であったりする。」（第２頁左下欄第１〜１５行）、「画像処理部６１４は、画像メモリ６１６のデータを周波数処理したり、回転、移動、上下左右反転したり、ヒストグラムや平均値や分散などの統計量を計算したり、画像メモリ６１６中の２画面の画像データの線型演算を行つたり、画像データのデータ圧縮を行つたりする。」（第５頁左上欄第６〜１１行）、「ヒストグラムの算出は転送してくる画像データを値ごとにカウントすることにより行つている。そして結果は画像処理部６１４中のバッファメモリに格納されているが、これをコントローラ６２に送りそこでヒストグラムイコライゼーションするべく演算されて表示制御部６１２中のＬＵＴ−Ａ、またはＬＵＴ−Ｂを書きかえる。」（第５頁左下欄第１７行〜右下欄第４行）、「モニタ６２２上には、動作メニューとカーソルが表示されており、オペレータは、マウス６２５でカーソルを移動しながら、動作メニューを選択することにより動作を指示していく。しかし、ネットワーク９を通じて画像データの通信を行うときや光ディスク装置６６に画像データをセーブしたり、ロードしたりするときなどの、患者ＩＤや日付を入力する必要のあるときは、収納されているキーボード６２４を走査卓上に出して、必要な情報を入力する。コントローラ６２には表示制御部６１２のＬＵＴ−Ａ、ＬＵＴ−Ｂのデータを複数管理する機能がある。管理出来るテーブルデータの個数は２０個であり、その内１０個は初期登録用で、本装置の設置時に設定しておくのでシステム管理責任者以外のオペレータは変更出来ないが、残り１０個は一般のオペレータでも変更可能である。変更方法は、コントローラ６２のモニタ６２２上にＬＵＴデータ作成用グラフを表示する。このとき、グラフには現在ＣＲＴ−Ａ６４上に表示されている画像のＬＵＴに関するデータが表示されている。当然ながら、ＣＲＴ−Ｂ６５に表示されているものに切り替えることも可能である。マウス６２５を使用して適当にグラフを変更すると、そのデータは直ちに表示制御部６１２のＬＵＴ−Ａ、またはＬＵＴ−Ｂに転送され、ほぼリアルタイムで表示画像の濃度を変換することができる。そこで、オペレータはＣＲＴ上の表示画像を観察しながらテーブルのデータを変更していき最適なデータを作成することができる。」（第５頁右下欄第１８行〜第６頁右上欄第６行）、「レーザフィルムプリンタ７は、ＣＲＴ上に表示されている画像をプリントすることが目的であるので、プリンタ制御部６１３にＣＲＴと同じ濃度変換をするためのルックアップテーブル（ＬＵＴ−Ｃ）を内蔵し、ＣＲＴ表示用ルックアップテーブルＬＵＴ−Ａ又はＢのデータと同じ特性にする。また、レーザフィルムプリンタ７中にも、プリンタ用フィルム８の濃度特性補正用ルックアップテーブル（ＬＵＴ−Ｐ）が内蔵されている。ＬＵＴ−Ｃは１０ビット入力１０ビット出力であり、ＬＵＴ−ＡまたはＢより精度が高い。これは、フィルムの方がＣＲＴよりコントラスト分解能が高いので、ＬＵＴの精度を高めたのである。ＣＲＴ上で表示されている画像をレーザフィルムプリンタ７でプリントするときは、ＬＵＴ−ＡまたはＬＵＴ−ＢからＬＵＴ−Ｃへデータを移したあとで、スムージング処理を行い、そのときの丸め誤差を極力小さくする。」（第７頁右下欄第１９行〜第８頁左上欄第１６行）、「すると、フィルムスキャナ５はＸ線フィルム４のディジタイズを開始し、そのデータは逐次、スキャナ制御部６１７を通り両像メモリ６１６に蓄積されると同時に、表示制御部６１２によりＣＲＴ−Ａ６４上に表示していく。従って、フィルムスキャナ５でディジタイズが完了し、Ｘ線フィルム８が排出されるのとほぼ同時に、画像表示は完了している。」（第８頁右上欄第１６行〜左下欄第３行）、及び「オペレータが、排出されたＸ線フィルム４をＣＲＴの横に並置されているフィルムビユーワ６３に装着すると、フィルムビューワ６３の電源がオンになり、Ｘ線フィルム４の観察が可能になる。オペレータは、Ｘ線フィルム４の画像に基づき、更に詳細に観察したい場所について、ＣＲＴの画像を拡大したり、その画像をスクロールしたり、濃度シフトしたりコントラストを上げたり、空間周波数特性を変換したりするなどして、オリジナルのＸ線フィルム画像とＣＲＴ上の画像を見比べながら、診断を確定していく。本画像処理装置１で使用されるＸ線フィルム４は、もちろん通常のものでも差し支えない。通常のフィルムは、肉眼の濃度識別能の良い１.０〜１.５Ｄの濃度域ではコントラストが高いが、それ以外の濃度域では、コントラストが低く、かつ、濃度識別能も低下するので、極めて見にくい状態である。そこで、本画像処理装置１を使用すると、観察したい箇所を好みの濃度、コントラストに調整できるので、効果的である。」（第８頁左下欄第６行〜右下欄第５行）との記載があり、結局、階調性を持つ現像処理の済んだＸ線フィルムを読み取って、複数の画素データからなる画像データを得、該画像データに画像処理を施して画像記録手段へ出力する画像情報読み取り表示装置であって、階調性を持つ現像処理の済んだＸ線フィルムを読み取って���像データを得る読み取り手段と、濃度シフトや濃度変換を前記画像データに対して施して出力した際の前記画像記録手段における出力画像に対応した画像を表示する表示手段と、前記濃度シフトや濃度変換を修正する修正手段と、前記修正手段による濃度シフトや濃度変換条件の確定後に、確定した該画像データを前記画像記録手段へ出力する手段とを有する画像処理装置が記載されている。
　同じく引用した甲第２号証（特開昭６２−２００８７５号公報）には、「本発明はカラー画像情報入力装置、特にカラーフィルムから画像を入力するカラー画像情報入力装置に関するものである。」（第１頁右欄第３〜５行）、「本発明は上述した従来技術に鑑みなされたものであり、読み取った画像データの色むらを生ぜしめる複数の原因に対処したシェーデイング補正を可能としたカラー画像情報入力装置を提供することにある。」（第２頁右上欄第９〜１３行）、「第２図は本実施例のカラー画像情報入力装置の全体構成図である。図中、４は入力原稿となるカラーフィルム原稿である。１はカラーフィルム原稿４を照明する光源であり、２は光源１からの光を結像するコンデンサレンズ等からなり、カラーフィルム原稿４を照明する照明光学系である。３はカラー画像を３色に色分解するための色分解フィルタで、例えばＲ（赤）、Ｇ（緑）、Ｂ（青）に色分解し、このフィルタを各色成分毎に入れ換えることにより、ＲＧＢ各々の画像情報を順次入力することができる。また５は後述するセンサ７へ入射する光量を制限する機構あり、絞りやＮＤフィルタ、或いは２枚の偏光フィルタ等からなる。７は輝度情報を電気信号に変換するセンサであり、本実施例では撮像管を用いている。ここで、照明光学系２より照明されたカラーフィルム原稿４を通過する光は各色成分毎にフィルタ３で色分解され、それぞれの各色成分はＲＧＢ毎の輝度情報に置き換えられ、電気信号に変換されることになる。また、得られた各色情報の電気信号は、Ａ／Ｄ変換器８によりデジタル信号に変換され、入力信号処理部９に出力されて色補正が行われることになる。」（第２頁右下欄第８行〜第３頁左上欄第２０行）、及び「ステップＳ５の結果から得られたヒストグラムの形状と画像データの平均値から適切な変換テーブルを計算により発生させることになる。そのため、予め基準となる平均値（ＡＶＥ）を決めておき、次にイメージメモリ上にある画像データの平均値（例えば代表としてＧデータを取り上げ実際のＧデータの平均値をＧＡＶＥとする）を求め、
ＡＶＥ＝ＧＡＶＥ
となるようにテーブルを自動的に発生させる。テーブル発生の関数には２式を用いる。
ＯＵＴ＝（ＩＮ/２５５）ｒ×２５５・・・２式
ただし、ＯＵＴ：変換後のデータ
ｒ：変換のガンマ係数
ＩＮ：変換前のデータ
である。
つまり、“ＯＵＴ”に各色信号別に設けられた設定平均値を、また“ＩＮ”に実際の各イメージメモリＲ１６、Ｇ１７、Ｂ１８内に記憶されているデータのいずれかの平均値を代表として用いて代入することにより、ｒを決定することになる。さて、２式により発生するテーブルはルックアップテーブル２０〜２２に格納され、テーブルを通した結果を直ちにＣＲＴ上で確認することができる。ワーク用イメージメモリ１９には第７図に示すような、その時点でのガンマ変換のためのテーブルの状態と第７図に示すような計算上で求めた変換後のヒストグラムの状態をグラフ表示し、（この時点では、イメージメモリ１６〜１８の内容はステップＳ６状態と変わっていない。）ヒストグラムの状態が適正であるか判断できるようになっている。次にステップＳ９ではガンマ変換処理の結果が満足できる状態であれば、ステップＳ１１へ進み、そのときのルックアップテーブル２０〜２２のテーブルで各イメージメモリＲ１６、Ｇ１７、Ｂ１８内の画像データをガンマ変化し、書き換える。またステップＳ９で満足できないものであればステップＳ１０へ進む。ところで、ガンマ補正が画像の主観評価に及ぼす影響は大きく、いくら色補正が適切であっても、ガンマ補正が適切に行われていないと画像の印象は非常に悪いものとなる。従って、最終的にガガマ補正の結果において主観を反映できることが望ましい。そこで、ステップＳ１０においては、もし、自動発生のテーブルを通した後の結果が満足のいかないもの、或いは故意に色を変化させたいときには、ヒストグラムの形状と、算出されたｒの値より、所望とするｒの値を推定し、キーボードより入力するか、もしくはタブレットにより自由にルックアップテーブルの内容を書き換えることができるようになっていて、ＣＲＴ上でリアルタイムで変化を確認可能にする。尚、ＣＲＴ上で確認する画像はルックアップテーブルを通した画像であるため、イメージメモリＲ１６、Ｇ１７、Ｂ１８のデータは何ら変換は行われていない。いずれにせよ、ステップＳ９でガンマ変換処理のテーブルが確定したならば、ステップＳ１１で確定したルックアップテーブル２０〜２２によりイメージメモリＲ１６、Ｇ１７、Ｂ１８内の画像データを書き換えることになる。」（第７頁右上欄第１３行〜第８頁右上欄第１３行）との記載があり、
同じく引用した甲第３号証（特開昭６３−２９８２７９号公報）には、「オペレータが一連の画像中の各画像を調整するのは通常不便で時間のかかるものである。画像実験（普通はブラウン管で行なう）中に画像をオペレータに呈示するのに加えて、フィルムその他の永久的な記録媒体に画像を転送するのが望ましいことが多い。」（第３頁右上欄第１１〜１６行）、「したがって本発明の主たる目的は、改良された画像呈示能を有するグラフィック装置を提供することである。本発明のもうひとつの目的は、一連の画像全体に渡る一定した画像呈示を提供することである。さらに本発明の別の目的は、画像バックグラウンドが目的の領域の呈示に及ぼす影響を低減することである。また、本発明のさらに別の目的は、医学的診断用撮像実験におけるオペレータ効率を改善することである。」（第３頁左下欄第６〜１６行）、「第１図のグラフィックシステム１０はデータ収集装置１１とプロセッサ１２を含んでいる。オペレータインターフェース１３がプロセッサ１２に接続されてオペレータがシステム１０の操作を制御できるようになっている。プロセッサ１２の出力側にはビデオディスプレイ１４とフィルム撮影デバイス１５が接続されている。医学診断用途の場合データ収集装置１１はよく知られているＮＭＲ装置またはＣＴスキャナからなってよい。これらのシステムによって対象物に関する情報が得られ、これを処理して画像を形成することができる。ビデオディスプレイ１４は、プロセッサ１２からの出力信号に対応する画像を表示するようにブラウン管（ＣＲＴ）および関連のエレクトロニクスで構成されているのが好ましい。フィルム撮影デバイス１５は、ビデオディスプレイ１４によって映写された画像を記録するように構成されていてもよいし、あるいは、プロセッサ１２の出力から直接にハードコピー画像を生成するように構成されていてもよい（たとえばレーザカメラ）。」（第４頁左上欄第２０行〜右上欄第１９行）、及び「本発明はその一態様において、オペレータの好みに応じた輝度およびコントラストの自動設定を達成すると共に画像のバックグラウンドの影響を低減する。この好ましい態様を実施する際には画像の画素ヒストグラムを使用する。その一例を第３図に示す。第３図のヒストグラムは、それぞれ可能な画素の大きさ値を有する特定の画像に対する画像データ中の合計数の画素を図示的に表わしている（ピンと呼ぶ）。すなわち、各画素の大きさに対してその大きさをもった画素の数をプロットしてある。このヒストグラムは数値的に表わすこともできる。画像の画素ヒストグラムを使用すると、以下に述べるように、輝度とコントラストをオペレータの好みに自動的に近似させるのが容易になると共に望ましくないバックグラウンド情報を削除することが容易になる。本発明によると画像の輝度とコントラストの決定は画像データの統計的解析に基づいている。画素統計量を使用することによって、オペレータはある画像に対する輝度とコントラストの好みを特定でき、その後の画像をこの好みに近似するよう自動的に調整された輝度とコントラストを有するようにできる。第４図を参照して好ましい操作方法を説明する。この方法では工程３０において画像のどこかの部分がバックグラウンドと考えられるかどうか（したがって無視しうるかどうか）を決定する。バックグラウンドの存在は、画像の全視野に対する目的の領域の相対的なサイズに依存する。本発明においては、バックグラウンド画素は目的の領域よりも暗い（すなわち大きさが小さい）と想定する。すなわち、ある画像がバックグラウンドを含むことが判明したならば、ある決められた大きさより低い大きさの画素に対応する画像データをヒストグラムおよび画像から削除する。視野と目的領域の相対的なサイズは直接オペレータの入力から決定することもできるし、あるいはグラフィックシステムに入れることができる他の情報から決定することもできる。たとえば、ＮＭＲ画像形成の場合、身体のいろいろな部分の画像を撮影するのにさまざまな無線周波数（ＲＦ）コイル（たとえば全身コイル、頭部コイルまたは四肢コイル）を使用することが知られている。各コイルは既知の全画像形成容積をもっている。比較すると、オペレータは自分の望む視野（すなわち倍率）を入力する。一例のＮＭＲシステムの場合のバックグラウンドの除去は、視野が、（１）全身コイルに対しては３２ｃｍ以上、（２）頭部コイルに対しては２０ｃｍ以上、また、（３）四肢コイルに対しては１２ｃｍ以上であるときに行なわれる。というのは、視野が大きくなるほどバックグラウンドを含む可能性が大きいからである。画素の除法は、ヒストグラム中の最低のピンから最初のピークの直後のヒストグラム中の最初の谷にかけて行なう。いいかえると、あるピンＬがあるとき、まず、ピン当たりの画素の数をＬＸ＋１として次式の関係を満たすように最低のピンＸを決定する
ＬＸ−１＜ＬＸ＞ＬＸ＋１このピークは第３図の例ではピン２５に相当する。次に、このピークの後の次式を満たすような最小のピンＹを見つけだす。
ＬＹ−２＞ＬＹ−１＞ＬＹ＜ＬＹ＋１すなわち、好ましい態様では、この谷を見つけだす際にふたつの連続したピンに対してＬＹが減少しなければならない。ついで、ピンＹより低い画素はすべてヒストグラムから除去する。工程３１（第４図）では、表示すべき最初の画像のヒストグラムの平均値と標準偏差を計算する。工程３２では、最初の画像を任意の初期の輝度とコントラストで表示する。画像輝度（すなわちレベル）は画素の平均値に正比例し、表示された画像の標準偏差（すなわちコントラストまたはウインドウ）は計算した標準偏差に正比例する。工程３３では、オペレータが自身の好みに画像を調整する。これは、オペレータインターフェース１３（第１図）によって行なうのが好ましい。表示された輝度と画素の平均との間および表示された標準偏差と計算された標準偏差との間の比例係数をオペレータのコマンド（指令）に応答して変更（すなわちスケーリング）することによって画像を調節する。」（第４頁右下欄第１５行〜第５頁右下欄第１６行）との記載がある。
＜２９条第１、２項違反について＞
〔本件請求項１に係る発明〕
　　本件請求項１に係る発明と、上記甲第１号証に記載された発明とを、対比すると、本件請求項１に係る発明の「画像情報読取表示装置」は、上記甲第１号証に記載された「画像処理装置」に相当するから、両者は、画像源を読み取って、複数の画素データからなる画像データを得、該画像データに画像処理を施して画像記録手段へ出力する画像情報読取表示装置であって、画像源を読み取って画像データを得る読取手段と、階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする画像情報読取表示装置で一致し、
Ａ画像源が、本件請求項１に係る発明は、放射線画像が記録された放射線画像変換パネルであるのに対して、上記甲第１号証に記載の発明は、階調性を持つ現像処理の済んだＸ線フィルムである点、
Ｂ本件請求項１に係る発明は、画像データの頻度分布に基づいて、前記放射線画像に応じた階調処理条件を求める手段を有するのに対して、上記甲第１号証に記載の発明は、そのような記載が無い点、
Ｃ本件請求項１に係る発明は、前記読取終了とほぼ同時に出力画像に対応した画像を表示するのに対して、上記甲第１号証に記載の発明は、そのような記載が無い点で相違する。
　そこで、上記相違点Ａ〜Ｃが甲第２号証に開示されているか否かを検討すると、甲第２号証には、上記相違点Ａ〜Ｃは記載されていない。
　してみれば、甲各号証には、相違点Ａ〜Ｃが開示されていない。
　本件請求項１に係る発明は、この構成を有することによって、明細書記載の作用効果を奏するものであるから、甲各号証に記載された発明であるとも、甲各号証から当業者が容易に推考できたものであるとも言えない。
　なお、異議申立人は、参考資料として、特開昭６２−９７５３３号公報を提示し、上記Ａ、Ｂの構成が周知であると主張しているが、上記Ｂの点に関しては「画像に関するヒストグラム等の画像情報２０１に基づいて、階調変換等の処理をし、表示部４０２に表示する」旨の記載があるだけで、上記Ｂの構成が開示されているわけではない。
　また、上記Ａの点に関しては、放射線画像が記録された放射線画像変換パネルが周知であると認められるが、依然として、甲各号証には、相違点Ｂ、Ｃが開示されていない。
　本件請求項１に係る発明は、この構成を有することによって、明細書記載の作用効果を奏するものであるから、甲各号証に記載された発明であるとも、甲各号証から当業者が容易に推考できたものであるとも言えない。
＜２９条の２違反について＞
〔本件請求項１に係る発明〕
　　本件請求項１に係る発明と、上記甲第３号証に記載された発明とを、対比すると、本件請求項１に係る発明の「画像情報読取表示装置」は、上記甲第３号証に記載された「画像表示装置」に相当するから、両者は、放射線画像などが記録されたものを読み取って、複数の画素データからなる画像データを得、該画像データに画像処理を施して画像記録手段へ出力する放射線画像などの情報読取表示装置であって、放射線画像などが記録されたものを読み取って画像データを得る読取手段と、前記放射線画像などに応じた階調処理条件を求める手段と、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像などの情報読取表示装置で一致し、
Ａ’放射線画像などが記録されたものが、本件請求項１に係る発明は、放射線画像が記録された放射線画像変換パネルであるのに対して、上記甲第１号証に記載の発明は、ＮＭＲ装置またはＣＴＳキャナなどの記録体である点、
Ｂ本件請求項１に係る発明は、画像データの頻度分布に基づいて、前記放射線画像に応じた階調処理条件を求める手段を有するのに対して、上記甲第３号証に記載の発明は、任意の初期の輝度とコントラストで最初の画像を表示する点、
Ｃ本件請求項１に係る発明は、前記読取終了とほぼ同時に出力画像に対応した画像を表示するのに対して、上記甲第３号証に記載の発明は、そのような記載が無い点で相違する。
　そして、上記Ａ’、Ｂ、Ｃは、自明の事項であるとも、当該技術分野における技術常識であるとも認められないから、本件請求項１に係る発明が、上記甲第３号証に記載の発明であるとは、言えない。
［記載不備］
異議申立人は、「どのようにして表示用ルックアップテーブルに対応させてインターフェース中のルックアップテーブルを設定するか」明確に把握できないと主張しているが、当業者であれば自明の事項である。
また、効果の記載と特許請求の範囲の記載との関連が明確に把握できないと主張しているが、上記訂正により解消された。
ウ.むすび
　以上のとおりであるから、特許異議申立の理由
及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年９月８日（２０００．９．８）
【訂正の要旨】
　　訂正の要旨
特許請求の範囲の減縮を目的として、下記（１）のように特許請求の範囲を訂正する。また、特許請求の範囲の訂正に応じて、発明の詳細な説明についても、適合性を持たせるために下記（２）、（３）のように訂正する。
（１）特許請求の範囲の請求項１を次のとおり訂正する。
　「放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置。」
（２）明細書第１２頁第１０〜第１３頁第８行の「−課題を解決するための手段−・・・−実施例−」を「−課題を解決するための手段−
上記目的を達成するため、本発明は、放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置を提供するものである。
−実施例−」と訂正する。
（３）明細書第３４頁第１０〜第３５頁第３行の「−発明の効果−・・・る。」を「−発明の効果−
以上のとおり、本発明は、診断性の良い画像データヘの変更を容易にする効果がある。」と訂正する。
（５４）【発明の名称】
放射線画像情報読取表示装置
（５７）【特許請求の範囲】
　放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置。
【発明の詳細な説明】
−産業上の利用分野−
　本発明は、輝尽性蛍光体に蓄積記録される放射線画像情報を読取及び表示する放射線画像情報読取表示装置に関する。
−発明の背景−
　従来、放射線画像を得るために、Ｘ線写真法が用いられてきた。この方法は、容易に被写体内部に透視画像が得られ、とくに医療における診断分野において、極めて有力な方法として、多く用いられてきた。しかし、この方法は人体中の各組織のＸ線透過率の差が小さく、またＸ線が被写体中で散乱されるために得られる画像のコントラストが小さいこと、Ｘ線が人体にとって有害であること、ラチチュードが狭く、撮影条件が厳しいこと等の欠点があった。これらの欠点を補うために、感度が高くラチチュードの広いＸ線検出器を用いて、Ｘ線画像を電気信号に変換し、画像処理をすることによって、人体に対する影響が少なく、なおかつ高画質の画像を得る方法が探求されてきた。このような放射線写真法の一例として、被写体を透過した放射線をある種の蛍光体に吸収、蓄積させ、しかる後この蛍光体をある種のエネルギーで励起して、この蛍光体が蓄積している放射線エネルギーを蛍光として放射せしめ、この蛍光を検出して画像化する方法が考えられている。
　具体的な方法として、例えば米国特許第３，８５９，５２７号及び特開昭５５□１２１４４号には、蛍光体として輝尽性蛍光体を用い、励起エネルギーとして可視光線及び赤外線から選ばれる電磁放射線を用いる放射線画像変換方法が提唱されている。
　この方法は、支持体上に輝尽性蛍光体層を形成した放射線画像変換パネルを用い、この放射線画像変換パネルの輝尽性蛍光体層に被写体を透過した放射線を吸収させ、放射線の強弱に対応した放射線エネルギーを蓄積させ、しかる後この輝尽性蛍光体層を輝尽励起光で走査することによって、蓄積された放射線エネルギーを光の信号として取出し、この光の強弱によって画像を得るものである。
　この最終的な画像は、ハードコピーとして再生してもよいし、ＣＲＴ等の受像管上に再生してもよい。
　前記輝尽性蛍光体とは、放射線（Ｘ線、α線、β線、γ線、紫外線等）を照射した後、光あるいは熱等のある種のエネルギーで励起すると、この蛍光体中に蓄積されている放射線エネルギーに応じて、輝尽発光を示すような蛍光体をいう。また、ここで輝尽性蛍光体を含有する層を有する放射線画像変換パネルとは、輝尽性蛍光体層面を有する板状（パネル状）、ドラム状あるいは柔軟性のあるフィルム状をなすもの等種々の形態のものを総称（以下単に変換パネルと呼称する）している。
　前記方法は、従来の銀塩写真を用いる放射線写真システムと比較して、非常に広い放射線露光域にわたって画像を記録し得るという極めて実用的な利点を有している。すなわち、前記変換パネルにおいて放射線露光量と、放射線蓄積後に輝尽励起光によって発光する輝尽発光の強度あるいは光量とは非常に広範囲にわたって比例することが認められており、従って種々の撮影条件により放射線露光量が大幅に変動しても前記輝尽発光の読取りゲインを適当な値に設定して光電変換手段により読取って電気信号に変換し、この電気信号を用いて写真感光材料等の記録材料、ＣＲＴ等の表示装置に可視画像として出力させることによって放射線露光量の変動に影響されない放射線画像を得ることができる。
　また、この方法によれば、前記変換パネルに蓄積記録された放射線画像を電気信号に変換した後に適当な信号処理を施し、この電気信号を用いて写真感光材料等の記録材料、ＣＲＴ等の表示装置に可視画像として出力させることによって診断適正の優れた放射線画像を得られるという極めて大きな効果も期待できる。
−発明が解決しようとする課題−
　しかしながら、上述のように撮影条件等の変動による影響をなくし、あるいは診断適正の優れた放射線画像を得るためには、変換パネルに蓄積記録された放射線画像の記録状態、被写体の部位、あるいは単純造影などの撮影方法等の画像情報を観察読影のための可視画像の表示に基いて前記放射線画像に適当な信号処理を施すことが必要不可欠である。
　このような可視画像の表示に先立って変換パネルに蓄積記録された放射線画像の画像情報を抽出する方法としては、特開昭５５−５０１８０号に開示された方法が知られている。この方法は変換パネルに放射線を照射した際に前記変換パネルから発する瞬時発光の光強度あるいは光量が変換パネルに蓄積記録される放射線エネルギーに比例するという知見に基き、前記瞬時発光を検出することによって放射線画像の画像情報を抽出し、この情報に基いて適当な信号処理を施し、診断適正に優れた放射線画像を得ようとするものである。この方法によれば、前記放射線画像に適用な信号処理を施すことが可能であり、撮影条件の変動等の影響を無くし、また診断適正の優れた放射線画像を得ることができるが、一般的に放射線照射部は複数部材群に分かれて構成されており、しかも放射線照射部所と放射線画像読取部所とは位置的に離れているのが通常であるので、その間に信号伝送系を構成しなければならず、装置的に複雑になり、コストの上昇を避けるけることができなという欠点があった。
　また、特開昭５５−１１６３４０号には、非輝尽性蛍光体を変換パネルの近傍に設け、放射線画像の記録時に前記非輝尽性蛍光体が発する発光を光検出器で検出して変換パネルに記録されている放射線画像の画像情報を抽出する方法が開示されている。しかし、この方法は前記特開昭５５−５０１８０号に開示される方法の欠点に加えて、輝尽性蛍光体それ自体を抽出手段の対象として用いるのではないから画像情報を間接的に推定するということにとどまり、こうして得られた情報に対する信頼性が低いという欠点があった。
　さらに、可視画像の表示に先立って変換パネルに記録されている放射線画像の画像情報を抽出する方法としては、特開昭５８□６７２４０号に開示された方法も知られている。この方法は観察読影のための可視画像を得る読取操作（以下、本読みという）に先立って、該操作において用いられる輝尽励起光のエネルギーよりも低いエネルギーの輝尽励起光を用いて前記変換パネルに記録されている放射線画像の画像情報を抽出するための読取操作（以下、先読みという）を行ない、この情報に基いて適当な信号処理を施し、診断適正に優れた放射線画像を得ようとするものである。しかしながら、この方法は先読みにおける輝尽励起光エネルギーと本読みにおけるそれとが１に近ければ近いほど、本読みの際に残存蓄積されている放射線エネルギー量は少なくなってしまうため、先読みにおける輝尽励起光エネルギーを本読みにおけるそれより低くする必要があり、そのためには先読みにおける輝尽励起光のスポット系を大きくする、輝尽励起光強度を低下させる、輝尽励起光の走査速度を大とする、あるいは変換パネルの移動速度を大とするなどの手段を講じなければならず、放射線画像読取装置の構造が著しく複雑となる欠点があった。また、この方法においては、前記のような理由により、さき読みにおける輝尽励起光エネルギーを本読におけるそれよりも著しく低くする必要があり、先読によって生ずる輝尽発光は非常に微弱なものである。このため、先読みによって前記画像情報を十分高い精度で抽出することが困難であったり、前記画像情報を十分高い精度で抽出するためには、先読みにおける輝尽発光検出系の検出能を著しく向上させなければならない等の欠点があった。さらに、この方法においては、先読みにおける輝尽励起光エネルギーを本読みにおけるそれよりも十分低くしたとしても、蓄積されている放射線エネルギー散逸は避けにくく、結果的に先読みによって本読みの際に放出される輝尽発光強度あるいは光量は減少し、システム感度が低下するという重大な欠点があった。
　一方、前記方法とは全く考え方の異なる方法も知られている。この方法は変換パネルに蓄積記録されている放射線画像を読みとって画像記憶装置に一時記憶させた後、前記画像記憶装置に記憶されている放射線画像信号を演算処理することによって前記放射線画像の画像情報を抽出し、この情報に基いて適当な信号処理を施し、診断適正に優れた放射線画像を得ようとするものである。
　しかし、この方法は放射線画像を一旦画像記憶装置に記憶させ、さらに演算処理する必要があるため、演算処理に長い時間を要し放射線画像の読取から表示までに時間がかかり、リアルタイム性に乏しいという重大な欠点を有していた。
　また、特開昭６２−９７５３３号に開示されるように、画像の読取から記憶するまでの間に画像の状態を把握するための画像抽出手段を設け、リアルタイム性を向上させる方法も開示されている。
　この方法は、実画像データを使用し、かつリアルタイム処理が可能となるもので、極めて精度の高い方式になる。しかし、画像データの読取に同期して処理するという高速性が要求されると共に、画像データは最大５００万画素にも及ぶため、ヒストグラムを作成するという単純処理を行なうだけでも２３ビットの演算精度が要求されるため、通常のマイクロコンピュータを使用することができず、専用ハードウェアが必要となる。
　また、表示画像の状態の良否を判定するにもその表示処理の遅れが撮影の良否の判定を遅らせ、撮影ミス等において再撮影するにも撮影手間を多くする。
　本発明の目的は、変換パネルに放射線画像を撮影するとほぼ同時に少ないデータ処理で画像の状態を把握できる表示を行ない、読取中及び読取り後の画像データ及び表示状態を変更可能にして診断性の高い画像を表示可能にし、また撮影ミスを救済できるようにした放射線画像情報読取表示装置を提供するにある。
−課題を解決するための手段−
上記目的を達成するため、本発明は、放射線画像が記録された放射線画像変換パネルを読み取って、複数の画素データからなる画像データを得、該画像データに画像処理を施して画像記録手段へ出力する放射線画像情報読取表示装置であって、放射線画像が記録された放射線画像変換パネルを読み取って画像データを得る読取手段と、前記画像データの頻度分布に基づいて、前記放射線画像に応じた階調処理条件を求める手段と、前記読取終了とほぼ同時に、前記階調処理条件に応じた階調処理を前記画像データに対して施して出力した際の前記画像記録手段における出力画像に対応した画像を表示する表示手段と、前記階調処理条件を修正する修正手段と、前記修正手段による階調処理条件の確定後に、確定した該階調処理条件に応じた処理を施した画像データを前記画像記録手段へ出力する手段とを有することを特徴とする放射線画像情報読取表示装置を提供するものである。
−実施例−
　以下、図面を参照して本発明の実施例を詳細に説明する。
　第３図は、本発明に係る放射線画像撮影装置のブロック図で、胸部放射線撮影装置の場合で示す。放射線源２１からの放射線が被写体２２の胸部位を通して放射線変換パネル２３に照射される。放射線変換パネル２３は放射線画像情報記録読取部２４の前面に装着され、放射線画像情報記録読取部２４内には、半導体レーザを用いた光ビーム部４１（これはガスレーザ、固体レーザでも良い）、光ビーム部４１からの光ビームを放射線変換パネル２３に照射すると共に走査させる光走査器４２、放射線変換パネル２３の発する輝尽発光光を検出する光電変換器４３を備える。光電変換器４３は、光ファイバからなる集光体４３ａと輝尽発光波長領域の光のみを通過させるフイルタ４３ｂとフイルタ４３ｂを通した光を電気信号に変換するフォトマル４３ｃで構成される。次に、放射線画像情報記録読取部２４内には、光電変換器４３からの出力電流を電圧信号に変換する電流□電圧変換器４４と、電流□電圧変換器４４の電圧信号を対数的に増幅する対数増幅器４５と、増幅器４５の出力をディジタルデータに変換するＡ／Ｄ変換器４６を備える。Ａ／Ｄ変換器４６は、放射線変換パネル２３が持つ広いダイナミックレンジの画像を極力忠実に変換するために輝尽発光光３桁の範囲を１０ビットの変換データとして得る。さらに、放射線画像情報記録読取部２４内には、Ａ／Ｄ変換器４６からのデータを入力する制御回路４７を備え、この制御回路４７は光ビーム部４１の光りビーム強度調整、フォトマル用高圧電源４８の電源電圧調整によるフォトマルのゲイン調整、電流□電圧変換器４４とＡ／Ｄ変換器４６の利得調整及びＡ／Ｄ変換器４６の入力ダイナミックレンジ調整を行うと共に、放射線画像情報の読取ゲインを総合的に調整する。
　次に、コントロール部２５は、コンピュータ制御装置にされ、中央処理装置（以下ＣＰＵと呼称する）５０にはシステムバスＳＢと画像バスＶＢとで以下の処理要素と結合される。画像表示手段（画像モニタ）画像表示手段５１は表示制御部５１ａとシステムバスＳＢを介してＣＰＵ５０に結合され、記憶手段としてのフレームメモリ５２はフレームメモリ制御部５２ａとシステムバスＳＢを介してＣＰＵ５０に結合される。情報入力手段５３はキーボード５３ａ及びＬＣＤ表示手段５３ｂからなり、インターフェイス５３ｃを介してＣＰＵ５０に結合される。読取用同期手段５４は、ＣＰＵ５０に結合される読取制御部５４ａと、この読取制御部５４ａに結合されるＸ線アダプタ５４ｂからなり、放射線源１の駆動回路１０と、制御回路４７とに結合される。５６は図示しない外部機器に対するＩ／Ｏインターフェース、５７は磁気ディスク装置５８（或は外部の光りディスク装置、磁気テープ装置）に対する磁気ディスク制御部、５９はメモリである。尚、ＣＰＵ５０は外部端末にも結合可能とされる。
　このような装置の動作は以下に説明する。
　Ｘ線撮影される被写体２２の識別情報は、コントロール部２５のキーボード５３ａから入力される。この識別情報としては、ＩＤ番号、氏名、生年月日、性別、撮影部位、撮影日時等がある。ただし、撮影日時は、ＣＰＵ５０内に内蔵されているカレンダ・クロックにより自動的に挿入されるようにしてもよいし、外部機器でＩＤ情報を管理している場合はそれかれ送ってもらい照合のみ行うようにしてもよい。また、外部端末で入力されたものを受信して照合のみを行っても良い。また、ここで入力される識別情報は、その時点で撮影される患者に関するものだけでも良いし、一連の情報を予め入力しておいて、後に順に撮影を行っても良い。識別情報が入力され、被写体２２を撮影位置にセットして撮影を行う。
　撮影ボタンが押されると、ＣＰＵ５０は読取制御部５４ａに読取開始を指示する。読取制御部５４ａはＸ線アダプタ５４ｂを経由して駆動回路１０を制御し、放射線源２１に対してＸ線撮影を指示する。放射線源２１は、これによって被写体２２に向けて放射線（Ｘ線）を照射する。この放射線は被写体２２を透過し、放射線変換パネル２３の輝尽性蛍光体層に被写体２２の放射線透過率分布に従ったエネルギーが蓄積され、そこに被写体２２の潜像が形成される。以上により、Ｘ線撮影が終了する。
　Ｘ線撮影が終了すると、光ビーム部４１はビーム強度が制御された光ビームを発生し、その光ビームは光走査器４２で変更され、反射鏡で光路が変更されて放射線変換パネル２３に励起走査光として導かれる。放射線変換パネル２３は励起走査光によって、その潜像エネルギーに比例した輝尽発光光を出力する。光電変換器４３は、この輝尽発光光を検出し、入射光に対応した電流信号を出力する。この出力電流は、電流□電圧変換器４４、増幅器４５、Ａ／Ｄ変換器４６を経て、ディジタル画像データとなり、制御回路４７に印加され、コントロール部２５に転送される。
　第４図はコントロール部２５における読取制御部５４ａの構成ブロック図である。この読取制御部５４ａは、互いに同期して切換えられる入力スイッチＳＷ１、出力スイッチＳＷ２と、２０４８画素分の記憶容量のＲＡＭからなるラインバッファＡ、Ｂで構成される。ここで、ラインバッファＡ、Ｂは画像データの主走査方向の１ラインに相当している。放射線画像情報記録読取部２４からの１ライン目の画像データがラインバッファＡに記憶されると、入力スイッチＳＷ１、出力スイッチＳＷ２が切換えられ、２ライン目の画像データがラインバッファＢに記憶される。これと同時にラインバッファＡの１ライン目の画像データは出力され、画像バスＶＢを通して、フレームメモリ５２に順次記憶されていく。１ライン毎に入力／出力スイッチＳＷ１、ＳＷ２は切換えられてラインバッファＡ／Ｂは役割を交代していく。
　第５図は、フレームメモリ５２の構成概略図である。このフレームメモリ５２は、２０４８＊２５６０画素分の記憶容量を持つＲＡＭで構成されている。放射線画像情報記録読取部２４で変換され、ラインバッファＡ／Ｂで一時記憶された画像データは、フレームメモリ５２に１ラインづつ記憶されていく。これと同時に記憶された画像データは画像バスＶＢを経由して、表示制御部５１ａに転送されたり磁気ディスク制御部５７に転送される。
　フレームメモリ５２から表示制御部５１ａに画像データを転送するときは、フレームメモリ５２から主走査、副走査方向共に４画素おきに読出し、表示制御部５１ａ内の表示メモリには連続して書込んでいく。これは、表示用ＣＲＴが５１２画素＊６４０画素の表示解像力しか持たないので、主副共に１／４に間引くためのものである。また、フレームメモリ５２から磁気ディスク制御部５７に画像データを転送するときは、フレームメモリ５２から連続して読出し、磁気ディスク制御部５７内のＦＩＦＯメモリに連続して書込んでいく。このように、間引いたり、連続したりしてフレームメモリ５２をアクセス可能にするために、フレームメモリ制御部５２ａは第１図に示す構成としている。
　同図において、基本的には、フレームメモリタイミング制御回路６１内で全体的なフレームメモリ５２の読み書きタイミングが生成され、Ｘ軸方向の主走査方向アドレスジェネレータ６２とＹ軸方向の副走査方向アドレスジェネレータ６３とでアクセスすべきフレームメモリ５２の番地が指定され、データは画像バスＶＢを経由して読出し、又は、と書込みがなされる。主走査方向アドレスジェネレータ６２は２０４８画素分に対応させた１１ビット、副走査方向アドレスジェネレータ６３は２５６０画素分に対応させた１２ビットで構成されるほかは同一の構成になる。
　ここでは、４画素おきに読出す場合で説明する。まず、ＣＰＵ５０は先頭の画素位置のアドレスを１／Ｆロジック６４を通してラッチ回路６５とラッチ回路６６にセットする。次に、ＣＰＵ５０はアドレスの増分である＋４をラッチ回路６７とラッチ回路６８にセットする。そして、ＣＰＵ５０はフレームメモリタイミング制御回路６１内のコマンドラッチの読出しフラグとＸ方向加算フラグをセットし、データ転送の開始を指令する。
　この指令で、フレームメモリタイミング制御回路６１は、まずラッチ回路６５とラッチ回路６６の先頭の画素位置データをマルチプレクサ６９と７０を通してラッチ回路７１とラッチ回路７２にセットし、これらラッチデータをマルチプレクサ７３で切り替え、バッファ７４を通してフレームメモリアドレスを発生させる。このフレームメモリアドレスによる先頭の画素データが読出されると、フレームメモリタイミング制御回路６１はマルチプレクサ６９を加減算器７５側に切換える。加減算器７５はラッチ回路６７とラッチ回路７１のラッチデータの加減算を行い、フレームメモリタイミング制御回路６１からのタイミング信号毎にラッチ回路７１の現在値にラッチ回路６７の増分＋４を加算した画素位置データを該ラッチ回路７１にセットする。この制御により、フレームメモリタイミング制御回路６１は１つの画素データが転送される毎に主走査方向アドレスジェネレータ６２の＋４増分制御を行う。１ラインの転送終了時は１ラインの転送終了毎に副走査方向アドレスジェネレータ６３を、上記走査方向アドレスジェネレータ６２の操作と同様に行ない＋４増分制御を行う。また、フレームメモリタイミング制御回路６１は、１つの画素を読出すごとにＤＲＡＭのフレームメモリ５２に対してＲＡＳ、ＣＡＳ信号を与え、またリフレッシュ動作も制御する。上述のような制御により、撮影画像を１／４に間引きした画像データを得ることができる。間引き率を変更するときはラッチ回路６７及びラッチ回路６８への設定値を変更することで成される。たとえば、ラッチ回路６７及びラッチ回路６８への設定値が＋１のとき、連続アクセスとなるし、ラッチ回路６７への設定値が□１でラッチ回路６８への設定値が＋１のときには左右反転画像を読出すことができる。
　フレームメモリ５２から読出された画像データは、Ｉ／Ｆロジック７７及び画像バスＶＢを介して転送されるが、ＣＰＵ５０では１ラインづつ転送管理しており、表示制御部５１ａへ転送中に磁気ディスク制御部５７への転送が必要になると該ラインの転送終了時に該時点のアドレスをストアし、磁気ディスク制御部５７へ転送すべきフレームメモリのアドレスや増分値、コマンドを設定して転送を行う。そして、転送終了時点でストアしていたアドレスや増分、コマンド等を再設定して表示制御部５１ａへの転送を再開する。これは、ラッチやレジスタヘの設定におけるオーバヘッドが存在し、実効速度を低下させるが、画像転送に比べて極めて頻度が少なく、見掛け上並列動作を可能にする。
　また、読取動作中は、放射線画像情報記録読取部２４の制御回路４７からフレームメモリ５２へ、フレームメモリ５２から表示制御部５１ａへ又は磁気ディスク制御部５７へという転送を上述の用に並列的に行うが、読取終了とほぼ同時に画像表示手段５１への表示と磁気ディスク装置５８へのデータ保管がなされる。
　また、読取終了時、ＣＰＵ５０はラッチ回路６５及びラッチ回路６６に先頭アドレスを設定し、ラッチ回路６７及びラッチ回路６８に＋３２を設定して磁気ディスク制御部５７内のバッファメモリに転送を行う。このときの画素数は６４＊６４画素の計４０９６画素になる。これは、主副走査共に１／３２に画素間引きを行い、かつ画像を正方形にトリミングした形になる。ＣＰＵ５０はこの画像データを用い、画像の累積頻度分布を求め、画像の最適な表示特性である画像処理条件を求め、表示制御部５１ａ内の表示用ルックアップテーブルの内容を変更する。このように、主副走査共に１／３２に間引き（画素数は１／１０２４）するも、画像の持つ最大値、最小値、中央値などの特徴量や累積頻度分布はオリジナルの画像データと殆ど変化は起きないことを本発明者は見い出し、この現象を利用することで演算を極めて簡単化し、１６ビットのマイクロプロセッサでも画像の最適な表示特性を得るのに殆ど時間遅れなく判定できるようにしている。第６図（Ａ）乃至（Ｈ）は各間引き率における累積頻度分布と頻度分布特性を例示する。本例でもわかるとおり、オリジナルな画像データの累積頻度分布（第６図（Ａ））と比較しても、３２画素毎に間引いた累積頻度分布（第６図（Ｆ））はほとんど同一の形状をしており、これを用いて画像状態を推定しても問題ない。また、これ以上の間引き率の画像を用いても（第６図（Ｇ）、（Ｈ））、その推定は、あまり狂わないので、ハード的にも、処理時間的にも効果がある。
　また、第６図（Ｄ）、（Ｅ）程度であれば、１６ビットのＣＰＵを使用してもさほど大きな処理時間とはならず、オリジナル画像データを使用して推定するのと遜色ない処理を行うことが可能で、効果的である。
　なお、Ｘ線画像は、画像周辺部の情報が全体に対して影響が低く、画像の抽出領域として上部及び下部を省いて抽出してもその特徴を損なうことは少ない。このような場合の中央部のみの読取制御や、読取画像が２０４８＊２５６０画素よりも相当小さくなるときには間引き率を３１，３０，・・・と小さくして画像領域の範囲内で読取を行うなど読取領域と間引き率の適宜調整をラッチデータの変更で容易に行うことができる。
　例として、主走査２０４８画素、副走査２４６４画素の画像を読取る場合、上部及び下部を夫々２０８ラインづつ省いた２０４８＊２０４８画素の画像を１／３２の画素間引きで６４＊６４画素の抽出データを得ることができる。これは読取が終了する２００ライン以上前に抽出が完了し、その後に累積頻度分布を計算し、最大値、最小値、中央値等を算出し、画像処理条件であるその画像に最適な特性を持つルックアップテーブルデータを作成するも、読取終了前に全ての演算を終了させることができる。このことは、表示制御部５１ａ内の表示用ルックアップテーブルを変更すれば、読取終了とほぼ同時に最適な表示特性でＣＲＴ画像の観察を可能にすることを意味する。
　第２図は表示制御部５１ａのブロック図を示す。画像バスＶＢを通した画像データはデータバッファ８０を通して順次表示用メモリ８１に書込まれる。この表示用メモリ８１は１０ビットデータを５１２＊６４０画素分の記憶容量を持つ。表示用メモリ８１の記憶データは、１０ビット（１０２４レベル）のデータの８ビットに変換する表示用ルックアップテーブル８２に順次転送されて８ビットのデータに変換圧縮され、このデータはＤ／Ａ変換器８３でアナログデータに変換され、さらにアンプ８４で増幅されてＣＲＴ用映像信号化されてＣＲＴ表示器に与えられる。表示用メモリ８１はメモリ制御回路８５による書込み読出し制御がなされ、またデータ転送制御や同期信号の生成など全体の表示制御が表示制御回路８６によってなされる。
これら制御の為の指令は、ＣＰＵ５０からシステムバスＳＢ及びＩ／Ｆロジック８７を通して与えられる。
　このような構成の表示制御を以下に説明する。
　ＣＰＵ５０による表示用ルックアップテーブル８２の書き替え制御により、表示はその時点で変化していく。そこで、ＣＰＵ５０は、撮影開始時に表示制御回路８６に消去指令を与えることでそれまで表示されていた画像を消去する。これは、表示用メモリ８１としてデュアルポートＲＡＭを使用し、読出しポート側から黒データを書込むことにより１フレーム表示時間で終了できる。ここで、表示用メモリ８１を消去する際に、表示用ルックアップテーブル８２には線形なテーブルデータを書込む。これは、読取中の表示には画像データの全域を観察可能にすることにより、撮影位置のずれや画像データのおおよその感じを捕えることを可能にする。例えば、放射線画像情報記録読取部２４ではＸ線量の３桁の範囲を１０ビットに量子化してディジタル画像データを得るが、実際に有効な範囲は１．５桁程度であり、画像データが１０ビット（０〜１０２３）のレベルのどの当りに存在するかをＣＲＴで観察できるようにする。この観察から撮影条件の設定ミスにより画像が白や黒レベル近くに位置していないかを確認可能にするし、再撮影を必要とするか否かを即時に判定できるようにする。
　ＣＲＴの表示画像は、抽出画像データを画像処理条件により処理することにより読取終了とほぼ同時に適切な階調を持つ画像に変り、診断性の良い画像にされる。このとき、撮影の照射野や撮影条件が通常と大きく異なる場合、予め設定する階調特性では十分満足される画像とならない場合がある。この場合にはキーボード５３ａの階調制御用ファンクションキーを走査することで階調を変えることで対応できる。即ち、Ｘ線画像は画像の濃度とその傾きであるガンマ値が重要であるので、その２つのパラメータを画像処理条件である表示用ルックアップテーブル８２で変化させることによりディジタル的に画像処理条件を修正する。
　以上までのことから、撮影後に即座に画像確認を可能にし、しかも所望の階調性を持つ画像を観察可能にする。
　また、画像の観察を細部にまで行うときには、キーボード５３ａの拡大とパニング用ファンクションキーにより、画像の拡大やパニングを行うことも可能になる。画像の拡大は、間引き率を減らしてフレームメモリから表示用メモリ８１に転送することで可能であるし、パニングは画像を移動させる量だけ表示用メモリ８１の読出し開始アドレスをずらし、ＣＲＴに新しく表われる分の画像のみを転送することで実現される。この制御を可能にするためには、表示用メモリ８１は主走査方向、副走査方向共にエンドレスとなるように構成される。
　さらに、撮影方法により、画像が左右反転しているとき、左右反転用ファンクションキーにより画像の左右反転を行うことで修正できる。また、被写体名や生年月日等に入力ミスがあった場合、キーボードによる修正が可能となる。
　上述のような確認作業が終了したときに次の撮影に移るが、この時点で全てのデータは確定し、外部機器への転送が可能となる。また、次の撮影がなくて、オペレータが操作をしなくなった一定時間経過後、自動的にデータを確定させることで外部機器への自動転送を可能にすることもできる。
　上述の外部機器は、上位のホストコンピュータの場合もあるし、画像を記録するフイルムプリンタの場合、さらに両方にすることでも良い。このうち、ホストコンピュータにする場合、画像データを複数ラインづつ１ブロックとし、磁気ディスク制御部５７から読出しては画像バスＶＢを経由して外部機器用インターフェイス中のバッファメモリに転送し、ホストコンピュータへ転送する事で実現される。また、フイルムプリンタの場合、ＣＰＵ５０はまずインターフェース中のルックアップテーブルを設定し、ＣＲＴで観察した画像に類似させる。そして、画像転送を行い、プリントさせる。すなわち、ＣＲＴは、出力され画像記録される画像に対応した画像を表示できる構成となっている。
　なお、外部機器は、ホストコンピュータにしてもフイルムプリンタにしても高速処理装置になるのに対して、磁気ディスク装置５８から画像データを読出しながら転送するのでは実行速度を大きく低下させてしまうか、または転送が間に合わない場合もある。この問題には、フレームメモリ５２を更に１画面分増設し、読取用と転送用に切換使用することで実行速度の向上を図ることができる。また、外部機器へ転送終了した画像については磁気ディスク装置５８の管理情報を削除し、該磁気ディスク装置５８がオーバフローするのを防ぐことができる。
−発明の効果−
　以上のとおり、本発明は、診断性の良い画像データヘの変更を容易にする効果がある。
【図面の簡単な説明】
第１図は本発明におけるフレームメモリの制御回路図、第２図は本発明における表示制御回路図、第３図は放射線画像情報読取表示装置の装置構成図、第４図はコントロール部におけるタイミング制御のブロック図、第５図はフレームメモリの構成概略図、第６図は画像データの間引率に対するヒストグラムの変化を示す測定図である。
　２１……放射線源、２２……被写体、２３……変換パネル、２４……放射線画像情報記録読取部、２５……コントロール部、５１ａ……表示制御部、５２……フレームメモリ、５２ａ……フレームメモリ制御部、６１……フレームメモリタイミング制御回路、６２……主走査方向アドレスジェネレータ、６３……副走査方向アドレスジェネレータ、８１……表示用メモリ、８２……表示用ルックアップテーブル。